【手続補正書】
【提出日】平成22年5月27日(2010.5.27)
【手続補正１】
【補正対象書類名】特許請求の範囲
【補正対象項目名】全文
【補正方法】変更
【補正の内容】
【特許請求の範囲】
【請求項１】
可用性データを提供する方法であって、
第１クライアント装置に記憶されたデータファイルに関連づけられた可用性データを、プレゼンスサーバへ電子的に提供する工程を備え、
前記プレゼンスサーバは、
当該プレゼンスサーバにより提供されるプレゼンスサービスの１以上の加入者へ前記可用性データを提供し、
前記１以上の加入者に関連づけられた１以上の第２クライアント装置のディスプレイ上で、前記データファイルに関連づけられた可用性インジケータを変更する
ように構成される、方法。
【請求項２】
前記可用性インジケータとユーザを視覚的に関連づける工程をさらに備え、
前記可用性インジケータと前記ユーザとの間の関連付けは、前記１以上の第２クライアント装置の前記ディスプレイ上に描かれる、請求項１に記載の方法。
【請求項３】
前記提供する工程は、前記ユーザの可用性状態と独立に前記データファイルの前記可用性の状態に関する前記可用性データを提供する工程をさらに備える、請求項２に記載の方法。
【請求項４】
前記データファイルは、テキストファイル、１以上の画像、及び生中継ビデオ又は録画ビデオの少なくともいずれかを備える、請求項１に記載の方法。
【請求項５】
前記可用性データは、
前記データファイルが、利用可能、利用不可能、新しい、録画中、及び更新の、少なくともいずれかであることを示すものを備える、請求項１に記載の方法。
【請求項６】
可用性データを受信する方法であって、
プレゼンスサーバにより提供されるプレゼンスサービスのユーザに関連づけられた第１クライアント装置において、該第１クライアント装置において表示されることになる可用性インジケータと関連づけられ、第２クライアント装置に記憶された、データファイルに関連づけられた可用性データを要求する工程と、
前記第１クライアント装置において、要求された前記可用性データを前記プレゼンスサーバから受信する工程と、
前記可用性データの受信に応じて、前記第１クライアント装置においてディスプレイ上に前記データファイルの現在の状態を視覚的に示すために、前記データファイルに関連づけられた前記可用性インジケータを更新する工程と、を備える方法。
【請求項７】
前記ユーザは第１ユーザを備え、
前記データファイルは前記第２クライアント装置の第２ユーザと関連づけられており、
要求された前記可用性データを受信する前記工程は、前記第２ユーザの可用性状態と独立に、要求された前記可用性データを受信する工程をさらに備える、請求項６に記載の方法。
【請求項８】
前記要求する工程は、
前記データファイルの状態が更新される毎に、前記第１クライアント装置が可用性データを受信できるようにするために、前記プレゼンスサーバにおいてプレゼンスサービスへ加入する工程を備える、請求項６に記載の方法。
【請求項９】
前記要求する工程は、
前記第２クライアント装置の前記データファイルに関連づけられた現在の可用性データのために前記プレゼンスサーバへポーリングする工程を備える、請求項６に記載の方法。
【請求項１０】
前記データファイルは、
テキストファイル、１以上の画像、及び生中継ビデオ又は録画ビデオの少なくともいずれかを備える、請求項６に記載の方法。
【請求項１１】
前記可用性データは、
前記データファイルが、利用可能、利用不可能、新しい、録画中、及び更新の、少なくともいずれかであることを示すものを備える、請求項６に記載の方法。
【請求項１２】
可用性データを提供する方法であって、
プレゼンスサーバにおいて、１以上の第２クライアント装置上で表示されるように構成された関連づけられた可用性インジケータを有する、第１クライアント装置に記憶されたデータファイルに関連づけられた可用性データを受信する工程と、
受信された前記可用性データを前記プレゼンスサーバに記憶する工程と、
記憶された前記可用性データを、前記１以上の第２クライアント装置へ配布する工程と、
を備え、
前記データファイルに関連づけられた前記可用性インジケータは、前記第２クライアント装置のディスプレイ上で前記データファイルの状態を示すように構成される、方法。
【請求項１３】
前記プレゼンスサーバにおいて、前記データファイルに関連づけられた可用性データの更新を受信する工程と、
前記可用性データの更新を前記１以上の第２クライアント装置へ配布する工程と、
をさらに備え、
前記可用性インジケータは、前記データファイルの状態における変化を示すように構成される、請求項１２に記載の方法。
【請求項１４】
前記記憶する工程の後に、
前記１以上の第２クライアント装置から、前記可用性データに対する要求を受信する工程と、
前記１以上の第２クライアント装置を認証する工程と、
を備え、
前記配布する工程は、前記１以上の第２クライアント装置が認証された場合に、記憶された前記可用性データを、前記１以上の第２クライアント装置へ配布する工程をさらに備える、請求項１２に記載の方法。
【請求項１５】
前記プレゼンスサーバにおいて、前記１以上の第２クライアント装置に関連づけられた情報を記憶する工程をさらに備え、
前記認証する工程は、前記１以上の第２クライアント装置に関連づけられている記憶された情報に基づいて、前記１以上の第２クライアント装置を認証する工程をさらに備える、請求項１４に記載の方法。
【請求項１６】
可用性データを提供するように構成された装置であって、
前記装置に記憶されたデータファイルに関連づけられた可用性データを、プレゼンスサーバへ送信するように構成された送信部を備え、
前記プレゼンスサーバは、
当該プレゼンスサーバにより提供されるプレゼンスサービスの１以上の加入者へ前記可用性データを提供し、
前記１以上の加入者に関連づけられた１以上のリモート装置のディスプレイ上で、前記データファイルに関連づけられた可用性インジケータを変更する
ように構成される、装置。
【請求項１７】
前記送信部は、さらに、前記装置のユーザの可用性状態と独立に前記データファイルの前記可用性の状態に関する前記可用性データを送信するように構成される、請求項１６に記載の装置。
【請求項１８】
前記装置は携帯電子装置を備える、請求項１６に記載の装置。
【請求項１９】
可用性データを受信するように構成された装置であって、
プレゼンスサーバにより提供されるプレゼンスサービスのユーザに関連づけられたリモート装置に記憶され、前記装置において表示されることになる可用性インジケータと関連づけられている、データファイルに関連づけられた可用性データを要求するように構成された送信回路と、
前記装置において、要求された前記可用性データを前記プレゼンスサーバから受信するように構成された受信回路と、
前記可用性データの受信に応じて、前記装置においてディスプレイ上に前記データファイルの現在の状態を視覚的に示すために、前記データファイルに関連づけられた前記可用性インジケータを更新するように構成された更新回路と、を備える装置。
【請求項２０】
前記装置は携帯電子装置を備える、請求項１９に記載の装置。
【請求項２１】
可用性データを提供するシステムであって、
１以上の第２クライアント装置上で表示されるように構成された関連づけられた可用性インジケータを有する、第１クライアント装置に記憶されたデータファイルに関連づけられた可用性データを受信し、
受信された前記可用性データを記憶し、
記憶された前記可用性データを、前記１以上の第２クライアント装置へ配布する
ように構成されたプレゼンスサーバを備え、
前記データファイルに関連づけられた前記可用性インジケータは前記データファイルの状態を示すように構成される、システム。
【請求項２２】
前記プレゼンスサーバは、さらに、
前記データファイルに関連づけられた可用性データの更新を受信し、
前記更新を前記１以上の第２クライアント装置へ配布する
ように構成される、請求項２１に記載のシステム。
【請求項２３】
前記プレゼンスサーバは、さらに、
前記１以上の第２クライアント装置から、前記可用性データに対する要求を受信し、
前記１以上の第２クライアント装置を認証し、
前記１以上の第２クライアント装置が認証された場合に、記憶された前記可用性データを、前記１以上の第２クライアント装置へ配布する
ように構成される、請求項２１に記載のシステム。
【請求項２４】
前記プレゼンスサーバは、さらに、
前記１以上の第２クライアント装置に関連づけられた情報を記憶し、
前記１以上の第２クライアント装置に関連づけられている記憶された前記情報に基づいて、前記１以上の第２クライアント装置を認証する
ように構成される、請求項２１に記載のシステム。
【請求項２５】
可用性データを提供するためのコンピュータプログラムを格納したコンピュータ可読記録媒体であって、
当該コンピュータ可読記録媒体はその中にコンピュータ可読プログラムコードを有し、
前記コンピュータ可読プログラムコードは、第１クライアント装置に記憶されたデータファイルに関連づけられた可用性データを、プレゼンスサーバへ提供するために構成されたコンピュータ可読プログラムコードを備え、
前記プレゼンスサーバは、
当該プレゼンスサーバにより提供されるプレゼンスサービスの１以上の加入者へ前記可用性データを提供し、
前記１以上の加入者に関連づけられた１以上の第２クライアント装置のディスプレイ上で、前記データファイルに関連づけられた可用性インジケータを変更する
ように構成される、コンピュータ可読記録媒体。
【請求項２６】
可用性データを受信するためのコンピュータプログラムを格納したコンピュータ可読記録媒体であって、
当該コンピュータ可読記録媒体はその中にコンピュータ可読プログラムコードを有し、
前記コンピュータ可読プログラムコードは、
プレゼンスサーバにより提供されるプレゼンスサービスのユーザに関連づけられた第１クライアント装置において、該第１クライアント装置において表示されることになる可用性インジケータと関連づけられ、第２クライアント装置に記憶された、データファイルに関連づけられた可用性データを要求するように構成されたコンピュータ可読プログラムコードと、
前記第１クライアント装置において、要求された前記可用性データを受信するように構成されたコンピュータ可読プログラムコードと、
前記可用性データの受信に応じて、前記第１クライアント装置においてディスプレイ上に前記データファイルの現在の状態を視覚的に示すために、前記データファイルに関連づけられた前記可用性インジケータを更新するように構成されたコンピュータ可読プログラムコードと、を備えるコンピュータ可読記録媒体。
【請求項２７】
可用性データを提供するためのコンピュータプログラムを格納したコンピュータ可読記録媒体であって、
当該コンピュータ可読記録媒体はその中にコンピュータ可読プログラムコードを有し、
前記コンピュータ可読プログラムコードは、
プレゼンスサーバにおいて、１以上の第２クライアント装置上で表示されるように構成された関連づけられた可用性インジケータを有する、第１クライアント装置に記憶されたデータファイルに関連づけられた可用性データを受信するように構成されたコンピュータ可読プログラムコードと、
受信された前記可用性データを前記プレゼンスサーバに記憶するように構成されたコンピュータ可読プログラムコードと、
記憶された前記可用性データを、前記１以上の第２クライアント装置へ配布するように構成されたコンピュータ可読プログラムコードと、
を備え、
前記データファイルに関連づけられた前記可用性インジケータは、前記データファイルの状態における変化を示すように構成される、コンピュータ可読記録媒体。
【手続補正２】
【補正対象書類名】明細書
【補正対象項目名】発明の名称
【補正方法】変更
【補正の内容】
【発明の名称】データファイルに関連づけられた可用性データをプレゼンス・サービスのユーザへ提供する方法、装置、システム、及びコンピュータ可読記録媒体